(57)【要約】
　【課題】　　　手提げ機能はそのままに、袋の開口部を閉塞でき、袋内に収納した内容物がこぼれ落ちることのないポリ袋を提供する。
　【解決手段】　ポリ袋10において、縛り兼手提部16をミシン目18に沿って裂くと縛り兼手提部16が２つに分割される。つまり、分割された縛り兼手提部16のうち内側の部分を手提部16aとして使用でき、外側の部分を手提側縛り部16bとして使用できる。
　袋本体側縛り部14同士を結び合わせることにより開口部12aにおける袋本体側縛り部14下端近傍が絞られ、手提側縛り部16b同士を結び合わせることによって開口部12aにおける縛り兼手提部16下端近傍が絞られるので、両者が相俟って開口部12a全体が絞られることになる。また、手提部16aは開口部12aを塞ぐ為に使用されないので、手持用穴16cが塞がれることはなく、手提機能をそのまま保持できる。
【選択図】　　　図３
0003099770.tif 000002
【実用新案登録請求の範囲】
【請求項１】
　一端が開口した有底の袋本体と、前記袋本体の開口端縁の中央部分において、互いに対向する位置からそれぞれ一体的に延出された一対の袋本体側縛り部と、前記袋本体の開口端縁の両端部において、互いに対向する位置から延出され、端部が接続されて略Ｕ状に形成された一対の縛り兼手提部とを備え、前記縛り兼手提部の接続端部から前記袋本体に向けて、前記縛り兼手提部を手提側縛り部と手提部とに分割する分割線が前記縛り兼手提部に形成されていることを特徴とするポリ袋。
【考案の詳細な説明】
【技術分野】
【０００１】
　本考案は、袋の中に入れた内容物がこぼれにくいポリ袋に関する。
【背景技術】
【０００２】
　従来より図４に示すようなポリ袋(1)が買い物用袋やゴミ袋として利用されている（例えば、非特許文献１参照。）。
【０００３】
　この従来のポリ袋(1)は、一端が開口した有底袋状の袋本体(2)と、袋本体(2)の開口端縁(2a)の中央部分において互いに対向する位置からそれぞれ一体的に延出された一対の縛り部(3)と、前記袋本体(2)の開口端縁(2a)の両端において、互いに対向する位置から一体的に延出され、上端が接合され、略Ｕ状に形成された一対の手提部(4)とで構成されている。
【０００４】
　このポリ袋(1)を使用する際には、袋本体(2)の開口端縁(2a)を開き、これによりあらわれた開口部(5)から袋内部に物品を収納する。そして、縛り部(3)同士を結び、手提部(4)の手持用穴(4a)に手を通し、ポリ袋(1)内に収容された物品を運搬する（図５参照）。
【非特許文献１】インターネット＜ＵＲＬ：http://www.senhime.com/mitsuwakasei/index.htm＞
【考案の開示】
【考案が解決しようとする課題】
【０００５】
　従来のポリ袋(1)においては、縛り部(3)同士を結び合わせることにより開口部(5)における縛り部(3)の下端部分（開口部(5)の中央部分）が絞り込まれてその開口面積は小さくなる。しかしながら、手提部(4)の下端付近（開口部(5)の両端部分）は絞り込まれずに大きく開口したままとなるため、この開口部分から袋内に収納した物品がこぼれ落ちることがある。特に、ポリ袋(1)をゴミ袋として利用し、生ゴミ等を入れている場合には、こぼれたゴミが周囲を汚すだけでなく、開口部(5)の両端部分から悪臭が周囲に漂う。また、開口部(5)の両端部分を通して中身の残飯等が見えるため、ゴミ捨て場を荒らすカラスや野良猫等の注意を引き寄せてしまう。
【０００６】
　なお、縛り部(3)同士を結び合わせた後、さらに手提部(4)同士を結び合わせることにより開口部(5)の両端部分が絞られ、開口部(5)を完全に閉塞することもできるが、この場合には、手提部(4)を結び合わせることにより手持用穴(4a)が塞がれてしまうため、本来の目的である手提としての機能を果たすことができなくなるという問題がある。
【０００７】
　本考案の目的は、手提機能はそのままに、袋の開口部を閉塞でき、袋内に収納した内容物がこぼれ落ちることのないポリ袋を提供することである。
【課題を解決するための手段】
【０００８】
　請求項１に記載した考案は、「一端が開口した有底の袋本体(12)と、袋本体(12)の開口端縁(12c)の中央部分において、互いに対向する位置からそれぞれ一体的に延出された一対の袋本体側縛り部(14)と、袋本体(12)の開口端縁(12c)の両端部において、互いに対向する位置から延出され、端部が接続されて略Ｕ状に形成された一対の縛り兼手提部(16)とを備え、縛り兼手提部(16)の接続端部から袋本体(12)に向けて、縛り兼手提部(16)を手提側縛り部(16b)と手提部(16a)とに分割する分割線(18)が縛り兼手提部(16)に形成されている」ことを特徴とするものである。
【０００９】
　この考案において、縛り兼手提部(16)を例えばミシン目のような分割線(18)に沿って裂くと縛り兼手提部(16)が２つに分割される。つまり、２分割された縛り兼手提部(16)のうち内側の部分を手提部(16a)として使用でき、外側の部分を手提側縛り部(16b)として使用できる。
【考案の効果】
【００１０】
　請求項１に記載した考案によれば、対向する一対の袋本体側縛り部(14)同士を結び合わせることにより袋本体側縛り部(14)の下端部分の開口部(12a)の中央部分が絞られると共に、対向する外側の一対の手提側縛り部(16b)同士を内側の手提部(16a)内に通し、前記縛り状態にある袋本体側縛り部(14)に交差させて十字に結び合わせることにより縛り兼手提部(16)下端の開口部(12a)の両端部分が内側に引っ張られるようにして絞られるので、両者が相俟って開口部(12a)全体が絞られる。従って、開口部(12a)全体が閉じられて一部でも開くことがなく、袋内の物がこぼれ落ちることもない。しかも、手提部(16a)は、開口部(12a)を絞るのに使用されることがないため手持用穴(16c)が塞がれることはなく、手提機能はそのまま保持することができる。
【考案を実施するための最良の形態】
【００１１】
　以下、本考案を図示実施例に従って詳述する。本実施例のポリ袋(10)は、図１に示すように、袋本体(12)、一対の袋本体側縛り部(14)、および一対の縛り兼手提部(16)とで構成されている。
【００１２】
　袋本体(12)は上部開口・下部有底の袋状部材であり、材質としては、ポリエチレンなどの樹脂フィルムが好適に使用される。袋本体(12)の一方端部（図１における袋本体(12)の上部をいう。）は開口しており、この開口部分が開口部(12a)とされる。また、袋本体(12)の他方端部は熱溶着により封口されており、この封口部(12b)がポリ袋(10)の底となる。
【００１３】
　袋本体(12)の開口端縁(12c)の中央部分には一対の袋本体側縛り部(14)が延出されている。各袋本体側縛り部(14)は袋本体(12)の開口端縁(12c)から一体的に延出された舌片状のシート状部分であり、袋本体(12)の開口端縁(12c)における互いに対向する位置にそれぞれ配置されている。
【００１４】
　袋本体(12)の開口端縁(12c)の両端部分の互いに対向する位置には、使用前の段階では一対の縛り兼手提部(16)が延出されている。各縛り兼手提部(16)は袋本体(12)の開口端縁(12c)から一体的に延出され、上端が溶着された略Ｕ状のシート状部分(16e)である。本実施例では、前記シート状部分(16e)は矩形状で、その上端縁部が熱溶着されて形成されている。ここで前記上端溶着部を(16d)とする。なお、前記一対の縛り兼手提部(16)の側縁は袋本体(12)から上端溶着部(16d)まで繋がっていてもよいし、切り離されていてもよい。
【００１５】
　各縛り兼手提部(16)を構成する表裏両シート状部分(16e)には上端溶着部(16d)から袋本体(12)に向けて、例えばミシン目のような分割線(18)が形成されており、縛り兼手提部(16)を分割線(18)に沿って裂くことで２分割できるようになっている。ここで、ミシン目(18)から内側の部分が手提部(16a)であり、分割線(18)の外側の部分が手提側縛り部(16b)である。そして、袋本体(12)と略Ｕ状の手提部(16a)とで構成された空間が手持用穴(16c)である。なお、分割線(18)の位置や長さはポリ袋(10)の大きさや、袋内に収納する物品の重量などを考慮して、縛るのに必要な長さと、必要な強度が得られる範囲で適宜設定される。本実施例では、分割線(18)は上端溶着部(16d)から表裏両シート状部分(16e)の延出端まで形成されている。
【００１６】
　また、分割線(18)の下端部には、ミシン目(18)に沿って袋が所定位置より下方に裂けて行かないようにするための円形の裂止孔(20)が形成されている。なお、裂止孔(20)の形状は円形状に限られるものではなく楕円形状であってもよい。
【００１７】
　ポリ袋(10)を使用する際には、図２に示すように、縛り兼手提部(16)を分割線(18)に沿って裂く。前述したように分割線(18)の内側は手提部(16a)であり、ミシン目(18)の外側が手提側縛り部(16b)である。
【００１８】
　袋本体(12)の開口部(12a)を広げて袋内部に物品を収容し、物品の収納が完了したら対応する一対の袋本体側縛り部(14)同士を引き寄せ、これを結び合わせる。これにより、袋本体側絞り部(14)付近の開口部(12a)の中央部分が絞られることになる。
【００１９】
　次いで、対向する一対の手提側縛り部(16b)をそれぞれ隣合う手提部(16a)の手持用穴(16c)に通し、手提側縛り部(16b)の下端部同士を近接させ、図３に示すように手提側縛り部(16b)同士を結び合わせる。これにより手提側縛り部(16b)付近に対応する開口部(12a)の両端部分が内側に寄せられて絞られる。そして、これら両者が相俟って開口部(12a)全体が絞られることになる。なお、手提部(16a)は開口部(12a)を絞るために用いられないので、そのまま手提げとして使用することができる。
【００２０】
　本実施例のポリ袋(10)によれば、縛り兼手提部(16)を分割線(18)に沿って裂くことでその一方を縛り部として使用することができる。すなわち、手提側縛り部(16b)同士を結び合わせることによって縛り兼手提部(16)下端に対応する開口部(12a)の両端部分が絞られるので、袋本体側絞り部(14)同士を結び合わせることにより開口部(12a)全体が十字に絞られることになる。したがって、開口部(12a)全体が閉塞されてその一部が開かず、袋内の物がこぼれ落ちることがない。また、袋本体側縛り部(14)と手提側縛り部(16b)により二重に封口されているので、仮にいずれか一方の結び目が解けたとしても、大きく開口して収納物が外にこぼれてしまう危険性が少なくなる。
【００２１】
　さらにまた、手提部(16a)は開口部(12a)を絞るために用いられず手持用穴(16c)がふさがれることはないので、そのまま手提げとして使用することができる。
【図面の簡単な説明】
【００２２】
【図１】本考案の一実施例のポリ袋を示す正面図である。
【図２】図１実施例におけるポリ袋の使用状態を示す図である。
【図３】図１実施例におけるポリ袋の別の使用状態を示す図である。
【図４】従来のポリ袋を示す正面図である。
【図５】従来例における使用状態を示す図である。
【符号の説明】
【００２３】
　１０　ポリ袋
　１２　袋本体
　１４　袋本体側縛り部
　１６　縛り兼手提部
　１６ａ　手提部
　１６ｂ　手提側縛り部
　１８　分割線
　２０　裂止孔
【図１】
0003099770.tif 000003
【図２】
0003099770.tif 000004
【図３】
0003099770.tif 000005
【図４】
0003099770.tif 000006
【図５】
0003099770.tif 000007